(57)【要約】【課題】本発明は、撮像範囲を確認する際に、目視にて撮像範囲を簡単に確認することができる撮像装置及び撮像範囲確認部材を提供することを目的とする。【解決手段】本発明の撮像装置は、撮像範囲の確認をする時に、装置本体外周に被され、装置本体外周に依拠した姿勢で装着され、レンズ前面側からの目視により撮像範囲の確認が行える撮像範囲確認フード１０を備え、撮像範囲確認フード１０は、断面矩形の筒状体と、レンズ穴１１が形成され装置本体外周に被された時にレンズホルダに当接する仕切り部とを有し、この仕切り部の前面側には、レンズ穴１１の中心で直交する直線１３，１４が表示され、かつ、筒状体の前面側における上下の各端辺１８，１９と直線１４とを結ぶ各仮想面の間の第１の交角、及び左右の各端辺１６，１７と直線１３とを結ぶ各仮想面の間の第２の交角が、撮像範囲の画角とほぼ一致する角度に形成されていることを特徴とする。【選択図】図３
2010200199.tif 000002
【特許請求の範囲】
【請求項１】
構造物に固定し、レンズ部を介して所定の撮像範囲を撮像する撮像装置であって、
撮像範囲の確認をする時に、レンズ前面側からの目視により撮像範囲の確認が行える撮像範囲確認部材を備え、
前記撮像範囲確認部材は、断面矩形の筒状体と、レンズ穴が形成され前記装置本体外周に被された時に前記レンズ部の位置の基準となる仕切り部とを有し、この仕切り部のレンズ前面側には、前記レンズ穴の中心で直交する第１及び第２の直線が表示され、かつ、前記筒状体の前面側における上下の各端辺と前記第１の直線とを結ぶ各仮想面の間の第１の交角、及び左右の各端辺と前記第２の直線とを結ぶ各仮想面の間の第２の交角が、前記撮像範囲の画角とほぼ一致する角度に形成されていることを特徴とする撮像装置。
【請求項２】
前記撮像範囲確認部材は、レンズ前面側から装置本体外周に被され、所定位置まで押し込まれて装置本体外周に依拠した姿勢で装着されることを特徴とする請求項１記載の撮像装置。
【請求項３】
前記第１及び第２の直線が、上下左右に区分けされた４つの領域の境界線であり、前記４つの領域は、相互に隣接する領域と異なる色に彩色、若しくは異なる模様が施されていることを特徴とする請求項１又は２記載の撮像装置。
【請求項４】
前記撮像範囲確認部材は、折り込み可能なシート材から構成され、前記筒状体及び前記仕切り部を折り込みにより形成することを特徴とする請求項１〜３の何れか１項に記載の撮像装置。
【請求項５】
前記撮像範囲確認部材は、前記レンズ前面側へ抜けないようにするための折り込みで形成されるストッパ部を有することを特徴とする請求項４記載の撮像装置。
【請求項６】
前記撮像範囲確認部材は、前記装置本体を梱包する梱包材の一部から構成することを特徴とする請求項４又は５記載の撮像装置。
【請求項７】
構造物に固定し、レンズ部を介して所定の撮像範囲を撮像する撮像装置の撮像範囲確認部材であって、
断面矩形の筒状体と、レンズ穴が形成され前記装置本体外周に被された時に前記レンズ部の位置の基準となる仕切り部とを有し、この仕切り部のレンズ前面側には、前記レンズ穴の中心で直交する第１及び第２の直線が表示され、かつ、前記筒状体のレンズ前面側における上下の各端辺と前記第１の直線とを結ぶ各仮想面の間の第１の交角、及び左右の各端辺と前記第２の直線とを結ぶ各仮想面の間の第２の交角が、前記撮像範囲の画角とほぼ一致する角度に形成され、
撮像範囲の確認をする時に、レンズ前面側から装置本体外周に被され、装置本体外周に依拠した姿勢で装着されることを特徴とする撮像範囲確認部材。
【請求項８】
前記第１及び第２の直線が、上下左右に区分けされた４つの領域の境界線であり、前記４つの領域は、相互に隣接する領域と異なる色に彩色、若しくは異なる模様が施されていることを特徴とする請求項７に記載の撮像範囲確認部材。
【請求項９】
前記撮像範囲確認部材は、折り込み可能なシート材から構成され、前記筒状体及び前記仕切り部を折り込みにより形成することを特徴とする請求項７又は８記載の撮像範囲確認部材。
【発明の詳細な説明】
【技術分野】
【０００１】
本発明は、ネットワークカメラ等の撮像装置、とくにパン／チルト（ＰＡＮ／ＴＩＬＴ）機構を有さない撮像装置に関するものであり、また、この撮像装置を最適位置に設置するための撮像範囲確認部材に関するものである。
【背景技術】
【０００２】
ネットワークを介してカメラで撮影した画像を録画して配信する撮像装置としてネットワークカメラ、監視カメラ等が知られている。このネットワークカメラには、レンズの向きを機構的に回転させてパン／チルトを行うものと、機構的にパン／チルトを行わないものの、２種類がある。
【０００３】
更に、後者のネットワークカメラには、機構的にパン／チルトはしないが、比較的広角で画像を取り込み、取り込んだ画像の一部を電子ズーム機能により切り出し、電子的に見掛け上パン／チルトさせることができるものもある。
【０００４】
さて、機構的なパン／チルト機構を有する場合には、ネットワークカメラ設置後にモータでレンズの光軸の方向を左右上下に回転させることにより、希望する好適な撮像範囲（画角範囲）を設置後に自在に選択することができる。
【０００５】
しかし、パン／チルト機構を有さない固定の範囲しか撮影できないネットワークカメラの場合は、これを一旦天井や壁などに設置してしまうと、カメラの向きを簡単には修正することができない。そして、このような設置を行わない限り、ネットワークカメラをパーソナルコンピュータ（以下、パソコン）等に接続し、カメラの向きを確認するため取り込んだ画像をパソコンのモニタ画面に表示させることはできない。
【０００６】
従って、従来は、とりあえず目視で適当と考えられる方向にネットワークカメラを向け、その方向で暫定的に天井や壁に設置し、これをパソコン等に接続した上で、パソコンによって実際に取り込んだ画像をモニタ画面に表示しながら、想定した方向が適当でない場合は試行錯誤してネットワークカメラの向きを変更し、最終的に撮像範囲を確定するというのが一般的であった。このような撮像範囲の確認作業は面倒な作業であった。
【０００７】
このような撮像範囲（画角）の設定の困難を解決する技術として、従来、特許文献１で提案された技術がある。この技術はテレビ会議に関するもので、テレビ会議の自側端末の表示画面の子画面で自画像を確認することなく、カメラの撮像範囲内に自分が位置していることを、都度、目視で容易に確認できるようにするものである。
【０００８】
このため撮像用レンズの前方に内寸法が異なる２枚の画角確認フレームを設け、２枚の各画角確認フレームの内側のエッジラインを結ぶ仮想面の傾斜角度をカメラの画角の半分になるようにするものである。
【０００９】
更に、同様の第２の技術として、簡単で安価な構成で確実に自分撮り時における撮影範囲を視認により確認できるようにするためのカメラと撮像範囲確認部材が提案されている（特許文献２参照）。
【００１０】
この技術は、カメラの前面にレンズ、ファインダー、視認用凹部を設け、この視認用凹部の底部の半透過板の背後に光源を設けたものである。視認用凹部の上下左右の内壁面は奥から前へ末広がり状に形成され、つまり前方開口部の大きさよりも半透過板の寸法の方が小さく形成される。従って、この視認用凹部の左右の内壁面の傾斜角及び上下の内壁面の傾斜角がレンズのカメラ左右の画角及び上下の画角とほぼ一致するように（自分の顔全体が撮影範囲に間違いなく入るように）形成するものである。
【特許文献１】特開平６−２２３０６号公報
【特許文献２】特開２０００−１４７６３１号公報
【発明の開示】
【発明が解決しようとする課題】
【００１１】
従来のネットワークカメラの設置時に、パン／チルト機構のないネットワークカメラにおいては、天井又は壁の高い位置の取り付けた後、パソコンに接続してカメラが実際に撮影した画面を見てその撮像範囲を確認しながら、最終の設置位置を決定しネジ留めなどで固定していた。この場合、パソコンとの配線と電源が必要になり、ＰＣの動作環境を事前に準備する必要があった。
【００１２】
このためネットワークカメラ設置工事業者やユーザからは、設置工事の手配、準備の都合から、配線工事やパソコンの動作環境を準備する前にネットワークカメラの設置工事を完了させたい、という要望が多く寄せられていた。
【００１３】
また、特許文献１のテレビ会議では、２枚の画角確認フレームの内側のエッジラインを結ぶ仮想面の傾斜角度をカメラの画角の半分になるようにする。しかし、これはテレビ会議システムを利用する時に、都度、カメラの撮像範囲内に自分が位置していることを目視で確認するためのものであり、画角の少しのブレは近距離のため小さく許容されるものである。撮像時の折々で利用されるものである。
【００１４】
更に、特許文献２のカメラと撮像範囲確認部材は、カメラ自体に視認用凹部、半透過板、光源を設ける必要があり、この技術も、自分撮り時における撮影範囲を視認により確認するためのもので、自分を撮影するためで画角の少しのブレは近距離のため小さく許容されるものである。そして、特許文献２のカメラも、特許文献１と同様に、カメラ本体に撮像範囲確認部材を設けて撮像時にユーザがその都度確認するものである。
【００１５】
しかし、ネットワークカメラ等の場合、カメラの撮像範囲内に自分が位置していることを確認する必要はない。ここで期待されるのは、配線工事やパソコンの動作環境を準備する前に、ネットワークカメラ等の設置工事を終えることができれば、試行錯誤的にカメラの向きを変更し、最終的に撮像範囲を確定するという煩わしい作業を行わなくて済む、ということである。
【００１６】
そこで本発明は、このような従来の問題を解決するものであり、撮像範囲を確認する際に、目視にて撮像範囲を簡単に確認することができる撮像装置を提供することを目的とする。
【００１７】
また、本発明は、撮像装置を建物に固定して撮像範囲を確認する際に、目視にて撮像範囲を簡単に確認することができる撮像装置の撮像範囲確認部材を提供することを目的とする。
【課題を解決するための手段】
【００１８】
このような問題を解決するために本発明の撮像装置は、構造物に固定し、レンズ部を介して所定の撮像範囲を撮像する撮像装置であって、撮像範囲の確認をする時に、レンズ前面側からの目視により撮像範囲の確認が行える撮像範囲確認部材を備え、撮像範囲確認部材は、断面矩形の筒状体と、レンズ穴が形成され装置本体外周に被された時にレンズ部の位置の基準となる仕切り部とを有し、この仕切り部のレンズ前面側には、レンズ穴の中心で直交する第１及び第２の直線が表示され、かつ、筒状体の前面側における上下の各端辺と第１の直線とを結ぶ各仮想面の間の第１の交角、及び左右の各端辺と第２の直線とを結ぶ各仮想面の間の第２の交角が、撮像範囲の画角とほぼ一致する角度に形成されていることを特徴とする。
【００１９】
また、本発明の撮像範囲確認部材は、構造物に固定し、レンズ部を介して所定の撮像範囲を撮像する撮像装置の撮像範囲確認部材であって、断面矩形の筒状体と、レンズ穴が形成され装置本体外周に被された時にレンズ部の位置の基準となる仕切り部とを有し、この仕切り部のレンズ前面側には、レンズ穴の中心で直交する第１及び第２の直線が表示され、かつ、筒状体のレンズ前面側における上下の各端辺と第１の直線とを結ぶ各仮想面の間の第１の交角、及び左右の各端辺と第２の直線とを結ぶ各仮想面の間の第２の交角が、撮像範囲の画角とほぼ一致する角度に形成され、撮像範囲の確認をする時に、レンズ前面側から装置本体外周に被され、装置本体外周に依拠した姿勢で装着されることを特徴とする。
【発明の効果】
【００２０】
本発明の撮像装置及び撮像範囲確認部材によれば、撮像範囲を確認する際に、目視にて撮像範囲を簡単に確認することができる撮像装置を提供することができる。
【発明を実施するための最良の形態】
【００２１】
上記課題を解決するために本発明の第１の発明は、構造物に固定し、レンズ部を介して所定の撮像範囲を撮像する撮像装置であって、撮像範囲の確認をする時に、レンズ前面側からの目視により撮像範囲の確認が行える撮像範囲確認部材を備え、撮像範囲確認部材は、断面矩形の筒状体と、レンズ穴が形成され装置本体外周に被された時にレンズ部の位置の基準となる仕切り部とを有し、この仕切り部のレンズ前面側には、レンズ穴の中心で直交する第１及び第２の直線が表示され、かつ、筒状体の前面側における上下の各端辺と第１の直線とを結ぶ各仮想面の間の第１の交角、及び左右の各端辺と第２の直線とを結ぶ各仮想面の間の第２の交角が、撮像範囲の画角とほぼ一致する角度に形成されていることを特徴とする撮像装置である。
【００２２】
この構成によって、撮像装置を構造物に固定して撮像範囲を確認する際に、断面矩形の筒状体の撮像範囲確認部材を装置本体外周に被せて装着し、撮像範囲確認部材の仕切り部の前面側に表示されたレンズ穴の中心で直交する第１及び第２の直線が筒状体の前面側から見える範囲を撮像範囲として調整することができ、目視にて撮像範囲を簡単に確認することができる。
【００２３】
本発明の第２の発明は、第１の発明に従属する発明であって、撮像範囲確認部材は、レンズ前面側から装置本体外周に被され、所定位置まで押し込まれて装置本体外周に依拠した姿勢で装着されることを特徴とする撮像装置である。
【００２４】
この構成によって、撮像装置を構造物に固定して撮像範囲を確認する際に、断面矩形の筒状体の撮像範囲確認部材を撮像装置前面側から装置本体外周に被せて押し込んで装置本体外周に依拠した姿勢で装着し、撮像範囲確認部材の仕切り部の前面側に表示されたレンズ穴の中心で直交する第１及び第２の直線が筒状体の前面側から見える範囲を撮像範囲として調整することができ、目視にて撮像範囲を簡単に確認することができる。
【００２５】
本発明の第３の発明は、第１又は第２の発明に従属する発明であって、第１及び第２の直線が、上下左右に区分けされた４つの領域の境界線であり、４つの領域は、相互に隣接する領域と異なる色に彩色、若しくは異なる模様が施されていることを特徴とする撮像装置である。
【００２６】
この構成によって、撮像装置を構造物に固定して撮像範囲を確認する際に、断面矩形の筒状体の撮像範囲確認部材を撮像装置前面側から装置本体外周に被せて装置本体に押し込んで装置本体外周に依拠した姿勢で装着し、撮像範囲確認部材の仕切り部に色分け若しくは模様で分けられた領域の境界線が前面側から見える範囲を撮像範囲として調整することができ、目視にて撮像範囲を簡単に確認することができる。
【００２７】
本発明の第４の発明は、第１〜第３の何れかの発明に従属する発明であって、撮像範囲確認部材は、折り込み可能なシート材から構成され、筒状体及び仕切り部を折り込みにより形成することを特徴とする撮像装置である。
【００２８】
この構成によって、撮像装置の梱包箱に折り込み可能なシート材を同梱し、これを取り出して折り込んで撮像範囲確認部材を簡単に形成することができる。
【００２９】
本発明の第５の発明は、第４の発明に従属する発明であって、撮像範囲確認部材は、レンズ前面側へ抜けないようにするための折り込みで形成されるストッパ部を有することを特徴とする撮像装置である。
【００３０】
この構成によって、撮像範囲確認部材の装着位置のずれを防止することができる。
【００３１】
本発明の第６の発明は、第４又は第５の何れかの発明に従属する発明であって、撮像範囲確認部材は、装置本体を梱包する梱包材の一部から構成することを特徴とする撮像装置である。
【００３２】
この構成によって、撮像装置の梱包箱の一部で撮像範囲確認部材を形成することができ、材料費を削減することができる。
【００３３】
本発明の第７の発明は、構造物に固定し、レンズ部を介して所定の撮像範囲を撮像する撮像装置の撮像範囲確認部材であって、断面矩形の筒状体と、レンズ穴が形成され装置本体外周に被された時にレンズ部の位置の基準となる仕切り部とを有し、この仕切り部のレンズ前面側には、レンズ穴の中心で直交する第１及び第２の直線が表示され、かつ、筒状体のレンズ前面側における上下の各端辺と第１の直線とを結ぶ各仮想面の間の第１の交角、及び左右の各端辺と第２の直線とを結ぶ各仮想面の間の第２の交角が、撮像範囲の画角とほぼ一致する角度に形成され、撮像範囲の確認をする時に、レンズ前面側から装置本体外周に被され、装置本体外周に依拠した姿勢で装着されることを特徴とする撮像範囲確認部材である。
【００３４】
この構成によって、撮像装置を構造物に固定して撮像範囲を確認する際に、断面矩形の筒状体の撮像範囲確認部材を装置本体外周に被せて装置本体外周に依拠した姿勢で装着し、撮像範囲確認部材の仕切り部の前面側に表示されたレンズ穴の中心で直交する第１及び第２の直線が筒状体の前面側から見える範囲を撮像範囲として調整することができ、目視にて撮像範囲を簡単に確認することができる。
【００３５】
本発明の第８の発明は、第７の発明に従属する発明であって、第１及び第２の直線が、上下左右に区分けされた４つの領域の境界線であり、４つの領域は、相互に隣接する領域と異なる色に彩色、若しくは異なる模様が施されていることを特徴とする撮像範囲確認部材である。
【００３６】
この構成によって、撮像装置を構造物に固定して撮像範囲を確認する際に、断面矩形の筒状体の撮像範囲確認部材を装置本体外周に被せて装置本体外周に依拠した姿勢で装着し、撮像範囲確認部材の仕切り部に色分け若しくは模様で分けられた領域の境界線が前面側から見える範囲を撮像範囲として調整することができ、目視にて撮像範囲を簡単に確認することができる。
【００３７】
本発明の第９の発明は、第７又は第８の何れかの発明に従属する発明であって、撮像範囲確認部材は、折り込み可能なシート材から構成され、筒状体及び仕切り部を折り込みにより形成することを特徴とする撮像範囲確認部材である。
【００３８】
この構成によって、折り込んで撮像範囲確認部材を簡単に形成することができるため、撮像装置の梱包箱に折り込み可能なシート材を同梱することができる。
【００３９】
（実施の形態１）
本発明の実施の形態１における撮像装置とその備品である撮像範囲確認部材について説明する。図１（ａ）は本発明の実施の形態１における撮像装置に撮像範囲確認部材を装着する時の上方からの概観図、図１（ｂ）は（ａ）の撮像装置に撮像範囲確認部材を装着した状態の概観図、図２は本発明の実施の形態１における撮像範囲確認部材の斜視図、図３（ａ）は本発明の実施の形態１における撮像装置が撮像範囲内にある時の下方からの視野のレンズの正面図、図３（ｂ）は（ａ）の撮像装置が撮像範囲の限界に達した時のレンズの正面図、図４は本発明の実施の形態１における撮像装置の撮像範囲と被写体の位置の関係を示す説明図、図５（ａ）は本発明の実施の形態１における撮像装置を正常に装着した場合の撮像範囲の説明図、図５（ｂ）は（ａ）の撮像装置を不正常に装着した場合の撮像範囲の説明図である。
【００４０】
図１（ａ），（ｂ）に基づいて、ネットワークカメラ１（本発明の実施の形態１における撮像装置）の本体は正面ケース１ａと背面ケース１ｂとから構成され、その内部にはレンズ３とＣＣＤ等の光電変換を行う撮像部（図示しない）、映像信号処理部などのデバイスが実装された基板が収納されている。ネットワークカメラ１の本体の（本発明の実施の形態１における装置本体）外観形状は直方体形状であり、正面からみると矩形をなしている。
【００４１】
レンズ３は正面ケース１ａにおいて少し膨出した形状のレンズホルダ４（本発明の実施の形態１におけるレンズ部）中央に保持されて、レンズ穴から外部の光を受光できるようになっている。ネットワークカメラ１は背面が取り付け部２によって天井や壁などの構造物に固定される。なお、取り付け部２にはカメラ光軸の上下方向の設定角を変えることができる仰角固定部２ａが設けられている。そして、正面ケース１ａにはレンズ３の周囲には被写体の照度を上げるためのライト５ａ，５ｂが設けられており、近づいた人物などを検出するための人感センサ６が設けられている。
【００４２】
次に、図１（ａ），（ｂ）、図２、図３（ａ），（ｂ）に基づいて、ネットワークカメラ１の備品である撮像範囲確認フード１０（本発明における実施の形態１の撮像範囲確認部材）の説明を行う。実施の形態１の撮像範囲確認フード１０は、撮像範囲（画角）の確認をする時に、レンズ前面側（被写体側）からネットワークカメラ１の本体の外周に被され、外周に沿ってスライドされ所定位置まで押し込まれる。そして、本体外周面と撮像範囲確認フード１０の内表面とがほぼ密着状態あるいは微小間隙を確保した状態で、ネットワークカメラ１の外周構造に依拠した外形形状に沿った方向を向く姿勢で装着される。
【００４３】
この撮像範囲確認フード１０は、クラフト紙、段ボール紙等の適度に硬めの折り込み可能なシート材を使って折り込んで構成される。従って、この撮像範囲確認フード１０であれば、ネットワークカメラ１の梱包箱にこのシート材を同梱しておくことにより、ユーザがこれを取り出して簡単に組み立てることができる。なお、当初からプラスチックなどで一体成型することもできる。
【００４４】
撮像範囲確認フード１０の全体構成は、図２に示すように長手方向に直交する方向の断面が矩形の筒状体（断面が四角形の筒構造）の構造を備えており、筒状体の中央付近にはレンズ３とレンズホルダ４の配設位置の基準となる仕切り部１２が設けられている。なお、図２においてはレンズホルダ４と仕切り部１２は当接されている。この仕切り部１２にはレンズ３の直径と同径若しくはほぼ同径のレンズ穴１１が開口されており、レンズ前面からの光を取り込めるようになっている。レンズ３の直径と同径若しくはほぼ同径のレンズ穴１１であるため、いわばレンズ３と仕切り板１１は細い一線の幅で接触するだけとなり、レンズを保護することができる。
【００４５】
仕切り部１２のレンズ前面側には、レンズ穴１１の中心で直交する２つのライン、すなわち第１の直線１４と第２の直線１３が表示されている。表示の方法は、印刷でも、塗布、貼り付け、あるいはその他の表示でもよい。直線１３、直線１４の線の幅は、カメラの位置から数メートル、好適には３〜５ｍ程度離れてレンズを見た時、直線１３、直線１４が線としてラインとして識別できればよい。直線１４はネットワークカメラ１の本体の底面と平行な直線であり、直線１３はこれと直交する方向の直線である。
【００４６】
なお、本発明において左右という時は、この本体の底面に直線１４が沿った方向（パン方向）において光軸を中心として左右（各半面に位置する側）のことを意味し、上下という時にはこの底面と垂直な方向（チルト方向）で光軸を中心に上下（各半面に位置する側）を意味する。そして、仰角固定部２ａで本体を垂直、光軸を水平に向けて固定した場合には上下方向は鉛直方向になる。また、特段の事情がなければ直線１４は水平方向に向けて取り付けられる。
【００４７】
図１（ａ）のように撮像範囲確認フード１０は所定位置まで押し込まれると、背面ケース１ｂの背後にストッパ１５が来るように形成されている。この位置にストッパ１５が到達した時点に図１（ｂ）のように周囲からストッパ１５を押し込んで曲げが反転するように折り曲げる。これにより撮像範囲確認フード１０はネットワークカメラ１に対して所定位置かつ所定姿勢（本体のエッジのラインに沿って）で確実に位置決めされ保持されることになる。
【００４８】
さて、実施の形態１の撮像範囲確認フード１０に対してどのようにすれば撮像範囲を確認できるかについて説明する。図４は撮像範囲確認フード１０をネットワークカメラ１に装着した状態で、ユーザがパン方向に移動してＡ、Ｂ、Ｃの位置からネットワークカメラ１のレンズをみた時の様子を示す。図３（ａ），（ｂ）は同じくパン方向に移動して少しネットワークカメラ１を見上げる角度で見た状態である。
【００４９】
図４に示すＡの位置はレンズの正面に位置しており、この点からＢの側に少し移動した状態でかつ見上げた時の状態を図３（ａ）に示す。このような場合には、直線１３は撮像範囲確認フード１０の左側の端辺１６と重なることはなく、平行な２線を形成する。この直線１３は撮像範囲確認フード１０の右側の端辺１７とも重ならない。このようにＡの位置あるいはこの近傍はネットワークカメラ１の撮像範囲内に存在する。
【００５０】
しかし、図４のＢの位置にまでユーザが移動すると、図３（ｂ）のような角度でネットワークカメラ１と撮像範囲確認フード１０が見えるようになる。この時、直線１３は撮像範囲確認フード１０の左側の端辺１６と重なっている。このように直線１３と端辺１６とは１線となり、両者はレンズ穴１１の中央（光軸の位置）を通過し、撮像範囲確認フード１０の筒状体の左側側面が仕切り部１２の半面を隠した形態となる。そして、この時の光軸と交差する角度α（図５参照）が、被写体側からレンズ穴１１の中心を見た時の、ネットワークカメラ１が被写体の光を受光可能な限界となる角度に等しい角度であり、撮像範囲の限界となる角度である。そして、Ｓ１がその限界となる時の仮想面を示す。
【００５１】
そして更にＢからパン方向へ移動してＣの位置にまで到達すると、撮像範囲確認フード１０の左側側面が見えるだけで直線１３を完全に隠し、レンズ穴１１も見えなくなり、仕切り部１２も大半が視野から消える。この状態はＣの位置がネットワークカメラ１の撮像範囲内にないことを示している。
【００５２】
以上の説明は左側半面の撮像範囲の説明であるが、右側半面においても同様の手順でネットワークカメラ１の受光可能な限界となる角度に等しい角度α’（図５参照）が得られる。その決定方法は、直線１３と撮像範囲確認フード１０の右側の端辺１７との重なりを確認すればよく、平行な２線になって見える時はその位置が撮像範囲に存在する場合である。撮像範囲の限界となる角度になった時は直線１３と端辺１７とが重なって１線となり、撮像範囲から外れると撮像範囲確認フード１０の右側側面が見えて直線１３を完全に隠し、レンズ穴１１も見えず、仕切り部１２も見えなくなる。この限界となる角度α’の時の仮想面がＳ２である。
【００５３】
更にこれはチルト方向でも同様であり、基本的に変わらない。Ａ、Ｂ、Ｃの位置がチルト方向の上下の３点となり、直線１４と撮像範囲確認フード１０の上側の端辺１８又は下側の端辺１９との重なりを確認すればよい。直線１４と端辺１８又は端辺１９が平行な２線になって見える時は、その位置が撮像範囲に存在する場合である。上側方向の撮像範囲を確認する場合は直線１４と端辺１８、下側方向の撮像範囲を確認する場合は直線１４と端辺１９との重なりを確認すればよい。限界となる角度の時は直線１４と端辺１８又は端辺１９とが重なってそれぞれ１線となり、撮像範囲から完全に外れると撮像範囲確認フード１０の上側側面あるいは下側側面が見えて直線１４を完全に隠す。この状態ではレンズ穴１１も見えないし、仕切り部１２も見えない。
【００５４】
さて、ここで、図５（ａ），（ｂ）に示す撮像範囲確認フード１０の交角θをネットワークカメラ１の画角Θにどのようにして対応させるかについて説明する。なお、図５（ａ）（ｂ）はパン方向の撮像範囲を示すものである。また、この時のネットワークカメラ１の画角Θは、撮像範囲の限界を示す仮想面Ｒ１と仮想面Ｒ２の間の角度になる。そして、チルト方向の撮像範囲は、図示はしないがこれも左右が上下方向になるだけで原理はまったく同じである。
【００５５】
図５（ａ）に示すように、実施の形態１においては、仕切り部１２と端辺１６との長手方向幅をｂとし、レンズ穴１１の中央と短手方向幅をａとした時、αとしてα＝ｔａｎ-1（ａ／ｂ）となるように設定する。もう一方の半面の角度α’も同様に決まる角度α’＝ｔａｎ-1（ａ’／ｂ’）に設定する（図示しない）。この時交角θは仮想面Ｓ１と仮想面Ｓ２の間の角度であり、光軸上で交差し交角θ＝角度（α＋α’）になる。そして、角度α、α’が、仮想面Ｓ１と仮想面Ｒ１、仮想面Ｓ２と仮想面Ｒ２がそれぞれ平行した平面になるように設定するのが重要である。
【００５６】
これにより、ネットワークカメラ１の画角Θと撮像範囲確認フード１０の交角θを角度的に等しくすることができる。ただし、撮像部（ＣＣＤ等）の結像位置とレンズ穴１１との位置は実際の構造では少しずれており、撮像部と撮像範囲確認フード１０の間のずれを示す距離ｈの影響が大きいようであれば、実際のカメラの撮像範囲と撮像範囲確認フード１０による撮像範囲も少しずれる。言い換えると、ネットワークカメラ１の撮像範囲をカメラから実際に画像で確認した時の撮像範囲と、交角θに相当する被写体側から見て得られた範囲をネットワークカメラ１側から見た時の撮像範囲が、少しずれてしまう可能性は否定できない。しかし、この距離ｈによるずれの影響は実施の形態１において以下の通り事実上無視できるものである。
【００５７】
距離ｈは、ネットワークカメラ１などにおいては、仕切り部１２の厚さを加えても高々５ｍｍ〜２０ｍｍ程度であって、仮想面Ｓ１と仮想面Ｒ１の距離、仮想面Ｓ２と仮想面Ｒ２の距離でいえば４ｍｍ〜１４ｍｍ程度になる。従って、ネットワークカメラ１に対して角度（α＋α’）をなす長手方向幅ｂ，ｂ’、短手方向幅ａ，ａ’が設定されていれば、被写体が例えば３ｍ離れた物体である時は、４ｍｍ〜１４ｍｍ／３０００ｍｍ＝０．１％〜０．５％程度のずれを生じるが、これは割合から言っても無視できる程度のものである。
【００５８】
このずれの程度は、撮像範囲確認フード１０が図５（ａ）のように正しく装着した場合だけでなく、図５（ｂ）に示すように中途半端に押し込まれ不完全に装着された場合でもあまり変わりがない。この場合、仕切り部１２の被写体側の位置とＣＣＤ等の結像面との間の距離ｈ’は上記距離ｈより大きくなる。仮にこれが３０ｍｍになったとしても、そのずれの程度は３０ｍｍ／３０００ｍｍ＝１％にすぎない。そしてこれに対処するため実施の形態１においては、このような不完全な装着が起こらないようにするためのストッパ１５が設けられている。これにより撮像範囲確認フード１０がカメラ本体からずれ落ちることもない。
【００５９】
そして更に好ましいことに、被写体の位置がネットワークカメラ１から離れれば離れるほど（広角で取り込んだ遠方の被写体になればなるほど）、仮想面Ｓ１，Ｒ１、仮想面Ｓ２，Ｒ２間のずれの程度は相対的に小さくなり、更に無視できるようになる。すなわち、レンズから５ｍの距離に存在する被写体の撮像範囲の仮想面の不一致は０．０６％〜０．３％程度のずれであり、また、１０ｍの距離では０．０３％〜０．１５％のずれであって、何れもネットワークカメラ１等の使用上無視できる程度のものである。
【００６０】
従って、撮像範囲確認フード１０の被写体側（前面側）における左右の各端辺１６，１７と直線１３とを結ぶ仮想面Ｓ１、Ｓ２の間の交角θ（＝角度（α＋α’））が撮像範囲の画角Θの値と一致する角度あるいはほぼ一致する角度に形成されていれば、パソコン等を接続して面倒な画像の確認作業をしなくても、目視でパン方向の撮像範囲を簡単に確認することができる。
【００６１】
これはチルト方向でも同様であって、被写体側（前面側）における上下の各端辺１８，１９と直線１４とを結ぶ仮想面の間の交角θが撮像範囲の画角Θの値と一致する角度あるいはほぼ一致する角度に形成されていれば、目視にてチルト方向の撮像範囲を簡単に確認することができる。
【００６２】
そこで、実施の形態１の撮像範囲確認フード１０をユーザ等がクラフト紙、段ボール紙等のシート材を使って折り込んで構成する方法について説明する。図６は本発明の実施の形態１の撮像範囲確認フード１０を展開した展開体の構成図であり、図７はこの撮像範囲確認フード１０の展開図を折り込んで撮像範囲確認フード１０の組み立て体をつくる工程を説明した説明図である。
【００６３】
図６に示すように、実施の形態１の撮像範囲確認フード１０の展開体としての型紙３０には、撮像範囲確認フード１０の４つの側面を構成する第１領域３１、第２領域３２、第３領域３３、第４領域３４が設けられている。第１領域３１と第２領域３２、第２領域３２と第３領域３３、第３領域３３と第４領域３４は折り曲げ線３５で山折り可能になっている。
【００６４】
第１領域３１の筒の側面の角となる端部には、第４領域３４の端部に形成された差込３６が挿入される差込穴３７が設けられる。折り曲げ線３５で山折りされて、差込３６が折り曲げ方向に差込穴３７に挿入された型紙３０は、第１領域３１、第２領域３２、第３領域３３、第４領域３４が９０°ごとに屈曲されて、断面矩形の筒状体となる。
【００６５】
この第２領域３２と第４領域３４には、折り込みにより２枚の仕切り片１２ａ，１２ｂによって仕切り部１２を構成するための第１切り込み部３８ａ、第２切り込み部３８ｂが設けられている。実施の形態１ではこの仕切り片１２ａの差込穴１２ｈに仕切り片１２ｂの差込１２ｉを挿入して仕切り部１２を組み立てる。
【００６６】
ところで仕切り片１２ａ，１２ｂの表面上には、例えば２ｍｍ〜３ｍｍ程度の所定の幅を有する直線１３，１４が表示されており、差込穴１２ｈに差込１２ｉを挿入した時、仕切り片１２ａ，１２ｂの重なった部分の下側は下に隠れ、上側に配置された仕切り片１２ａ，１２ｂに表示された直線１３，１４のみが被写体側から見た時仕切り部１２の直線１３，１４として表示されることになる。これは型紙３０の折り込みによる撮像範囲確認フード１０特有のことであり、一体成型される撮像範囲確認フード１０の場合には仕切り部１２は一体のものとして形成される。
【００６７】
次に、第１領域３１と第２領域３２、第２領域３２と第３領域３３の間にはそれぞれストッパ１５を形成するための切込３９が形成されている。このストッパ１５は撮像範囲確認フード１０をネットワークカメラ１に装着した後に押し込むことで内側に凹んでストッパ１５とされる。ネットワークカメラ１の正面ケース１ａは仕切り部１２に当接し、背面ケース１ｂがストッパ１５に当接して位置決めされる。
【００６８】
続いて、図７に基づいて、この撮像範囲確認フード１０の展開図を折り込んで撮像範囲確認フード１０を組み立てる工程を説明する。図７は本発明の実施の形態１における撮像範囲確認部材の展開図を折り込んで組み立て体をつくる工程説明図である。図７において、その（ａ）に示すように型紙３０は折り畳んでネットワークカメラ１の梱包箱に同梱される。この型紙３０を広げて、（ｂ）に示すように１領域３１、第２領域３２、第３領域３３、第４領域３４を９０°ごとに折り曲げ、先端の差込３６を差込穴３７に挿入する（ステップ１）。
【００６９】
次いで、（ｃ）に示すように一辺を残した状態で第１切り込み部３８ａを切り起こし、仕切り片１２ａを筒の内側に折り曲げ、更にその仕切り片１２ａの両横の端部を補強のために所定の幅で折り曲げる（ステップ２）。
【００７０】
続いて、（ｄ）のように仕切り片１２ｂを一辺がつながった状態で切り起こし、矩形の筒の内側に折り曲げて仕切り片１２ａの上に重ね、更に仕切り片１２ａの仕切り差込穴１２ｈに仕切り片１２ｂの仕切り差込１２ｉを挿入する（ステップ３）。
【００７１】
この時仕切り部１２のレンズ穴１１が仕切り片１２ａ，１２ｂに開けられた各穴が一致した位置に重なって形成され、（ｅ）のように断面矩形の箱型形状の撮像範囲確認フード１０が得られる（ステップ４）。
【００７２】
このように実施の形態１のネットワークカメラ１と撮像範囲確認フード１０によれば、撮像範囲を確認する際に、撮像範囲確認フード１０を装着するだけで目視にて撮像範囲を簡単に確認することができる。ネットワークカメラ１の梱包箱に折り込み可能な型紙３０を同梱しておけば、ユーザがこれを取り出して折り込むことにより簡単に撮像範囲確認フード１０をつくることができる。また、折り込みで形成されるストッパ１５が設けられているため、撮像範囲確認フード１０をネットワークカメラ１に不完全な状態で装着しないようにすることができ、これによりレンズ前面側（被写体側）へ抜けないようにできる。また、被写体の位置がネットワークカメラ１から離れれば離れるほど、仮想面Ｓ１，Ｒ１、仮想面Ｓ２，Ｒ２のずれの程度は相対的に小さくなり、無視できるものになる。僅かなずれは存在するが、撮像範囲の確認の手軽さと容易性によって得られる効果に比較すれば無視できる。
【００７３】
（実施の形態２）
本発明の実施の形態２における撮像装置とその備品である撮像範囲確認部材について説明する。図８は本発明の実施の形態２の撮像範囲確認部材を展開した展開体の構成図を示し、図９（ａ）は本発明の実施の形態２における撮像装置が撮像範囲内にある時の下方から見上げた視野のレンズの正面図、図９（ｂ）は（ａ）の撮像装置が撮像範囲の限界に達した時のレンズの正面図を示す。図１〜図７は実施の形態２においても参照する。実施の形態１と実施の形態２の構成で共通の構成には同一の符号を付与する。
【００７４】
図８、図９（ａ）（ｂ）に示すように、実施の形態２の撮像範囲確認フード１０の仕切り部１２には、レンズ３に当接するレンズ穴１１を中心に上下左右に区分けした仕切り領域Ａ，Ｂ，Ｃ，Ｄが形成されている。実施の形態２においても撮像範囲確認フード１０の型紙４０を折り込んで撮像範囲確認フード１０を組み立てるが、その具体的な工程は図７に基づいて説明した通りである。
【００７５】
さて、実施の形態２の型紙４０では、区分けされた仕切り領域Ａ，Ｂ，Ｃ，Ｄは、隣接する領域が相互に異なる色に彩色してある。この彩色は仕切り領域Ａ，Ｂ，Ｃ，Ｄについてすべてを異なる彩色にすることもできるが、仕切り領域Ａ，Ｃを同一色にすると共に、仕切り領域Ｂ，Ｄを仕切り領域Ａ，Ｃとは異なった同一色で彩色することができる。この方がラインを認識する時には見易い。領域Ａ，Ｂ，Ｃ，Ｄについて、異なる模様が施されるのでもよい。領域Ａ，Ｃ、領域Ｂ，Ｄをそれぞれ同一模様にすることもできる。
【００７６】
このように仕切り領域Ａ，Ｂ，Ｃ，Ｄで彩色するのは、彩色の違いで境界線１３ａ，１４ａを明確に識別することができ、かつ限界となる角度α，α’の判別が容易になるからである。すなわち、ユーザが図９（ａ）の位置から図９（ｂ）の位置へ移動してレンズ３をみた場合を考えると、見えている仕切り領域Ｃの大きさ（幅）が次第に減少した幅となり、次第に狭まってある時点に消滅してしまう。
【００７７】
この領域Ｃが消えた瞬間が角度α，α’であり、これを基にした上下の各端辺１８，１９と境界線１４ａとを結ぶ各仮想面の間の交角θ、左右の各端辺１６，１７と境界線１３ａとを結ぶ各仮想面の間の交角θが、それぞれチルト方向、パン方向の撮像範囲の画角Θとほぼ一致する角度になる（図５（ａ）（ｂ）参照）。仕切り領域Ａ，Ｂ，Ｃ，Ｄの境界線に注目しておけば、簡単にネットワークカメラ１の撮像範囲を確認することができ、限界の判別はきわめて容易に行える。
【００７８】
ところで、実施の形態２の撮像範囲確認フード１０は、図９（ａ）（ｂ）のように型紙３０を折り込んで構成される。従って、仕切り部１２も、仕切り片１２ａ，１２ｂを折り重ねて組み立てられるため、仕切り領域Ａは図８の仕切り片１２ａの領域４１と仕切り片１２ｂの領域４２が２つ組み合わされて構成され、仕切り領域Ｂは仕切り片１２ａの領域４１ａと仕切り片１２ｂの領域４２ａが２つ組み合わされて構成されることになる。従って、仕切り片１２ａ，１２ｂを折り重ねた時仕切り領域Ａ，Ｂが形成される。
【００７９】
これに対し、仕切り領域Ｃは仕切り片１２ｂの領域４３ａがそのまま仕切り領域になり、仕切り領域Ｄは仕切り片１２ｂの領域４３がそのままで仕切り領域になる。
【００８０】
このように実施の形態２のネットワークカメラ１とこれに装着される撮像範囲確認フード１０によれば、撮像範囲を確認する際に、撮像範囲確認フード１０を装着するだけで目視にて撮像範囲を簡単に確認することができる。また実施の形態１と同様に、ネットワークカメラ１の梱包箱に折り込み可能な型紙４０を同梱しておけば、ユーザがこれを取り出して折り込むことにより簡単に撮像範囲確認フード１０をつくることができる。また、折り込みで形成されるストッパ１５が設けられているため、撮像範囲確認フード１０をネットワークカメラ１に不完全な状態で装着しないようにすることができ、これによりレンズ前面側（被写体側）へ抜けないようにできる。また、被写体の位置がネットワークカメラ１から離れれば離れるほど、仮想面Ｓ１，Ｒ１、仮想面Ｓ２，Ｒ２のずれの程度は相対的に小さくなり、無視できるものになる。僅かなずれは存在するが、撮像範囲の確認の手軽さと容易性によって得られる効果に比較すれば無視できる。
【００８１】
（実施の形態３）
本発明の実施の形態３における撮像装置とその備品である撮像範囲確認部材について説明する。図１０は本発明の実施の形態３の撮像範囲確認部材を展開した展開体の構成図を示す。図１〜図７は実施の形態３においても参照する。実施の形態１と実施の形態３の構成で共通の構成には同一の符号を付与する。
【００８２】
実施の形態３における撮像範囲確認フード１０は型紙５０に差込や差込穴を形成せずに、接着部５１を設けて貼り付けて構成するものである。型紙５０は折り畳んだ状態でネットワークカメラ１の梱包箱に同梱されている。
【００８３】
型紙５０は図７で説明したと同様の工程で組み立てられるが、図６，図８のような第１切り込み部３８ａを切り起こし、一辺がつながった状態の仕切り片１２ａを筒の内側に折り曲げ、また、仕切り片１２ｂを切り起こして筒の内側に折り曲げ、仕切り片１２ａの上に重ねて、仕切り片１２ａの仕切り差込穴１２ｈに仕切り片１２ｂの仕切り差込１２ｉを挿入する、という組み立て工程はない。これに代わるものとして、実施の形態３においては接着工程が設けられており、筒を組み立てるため接着部５１を第１領域３１の端部に接着する。接着部５１はあらかじめ接着剤を塗布しておくのでも、あるいは後から塗布するのでもよい。
【００８４】
また、図１０の撮像範囲確認フード１０には直線１３，１４を示すラインが表示されているが、これに代えて、実施の形態２のようにレンズ穴１１を中心に上下左右に区分けした仕切り領域Ａ，Ｂ，Ｃ，Ｄを仕切り部１２に設けるのでもよい（図示はしない）。
【００８５】
実施の形態３のネットワークカメラ１とこれに装着される撮像範囲確認フード１０によれば、ネットワークカメラ１の梱包箱に折り込み可能な型紙４０を同梱しておけば、ユーザがこれを取り出して折り込み、接着するだけで簡単に撮像範囲確認フード１０をつくることができる。
【００８６】
（実施の形態４）
本発明の実施の形態４における撮像装置とその備品である撮像範囲確認部材について説明する。実施の形態４の撮像範囲確認部材は撮像装置の梱包箱の一部で撮像範囲確認部材を形成するものである。図１１は本発明の実施の形態４の撮像範囲確認部材を展開した展開体の構成図、図１２は本発明の実施の形態４における撮像範囲確認部材の斜視図を示す。図１〜図７は実施の形態３においても参照する。実施の形態１と実施の形態３の構成で共通の構成には同一の符号を付与する。
【００８７】
図１１に示すように、実施の形態４における撮像範囲確認フード１０は、ネットワークカメラ１の梱包材１００の一部の領域に展開体が含まれており、切り離し線に従って展開体部分６１を取り出して使う。すなわち、梱包材１００から数か所の不要部分６２を切り離し、展開体に相当する展開体部分６１の型紙６０を取り出して構成する。なお、図１１、図１２に示す場合は型紙６０が１つのパーツで構成されているが、複数部分に分かれている型紙を合体してつくる撮像範囲確認フード１０としてもよい。
【００８８】
実施の形態４においては型紙６０の基本的な構成は実施の形態３と同様の構成をしており、撮像範囲確認フード１０の仕切り部１２には、レンズ３に当接するレンズ穴１１を中心に上下左右に区分けした仕切り領域Ａ，Ｂ，Ｃ，Ｄが設けられている。このほか実施の形態１，２と同様な構成であってよい。各構成の説明は実施の形態１〜３の説明と重複するので省略する。そして実施の形態４では、実施の形態３と同様に接着部６３を設けて貼り付けて構成している。
【００８９】
撮像範囲確認フード１０の型紙４０を折り込んで撮像範囲確認フード１０を組み立てる工程は図７に基づいて説明した通りである。ただ、実施の形態４においては準備工程として、ネットワークカメラ１の装置本体を梱包する梱包材１００の部分６０を取り出す展開体取り出し工程が必要である。
【００９０】
また、実施の形態４ではストッパ１５の形態が異なっている。ストッパ１５が拡大部分を持つストッパ片１５ａとこれを差し込む係止片１５ｂとを備えている。このストッパ１５は、箱型に撮像範囲確認フード１０の組み立てが済んだ後、ストッパ片１５ａを係止片１５ｂに差し込んで係止する。装置本体を包み込む筒状体の奥行きは実施の形態１〜３の場合より比較的短く、ストッパ片１５ａと係止片１５ｂとから構成される帯によって、仕切り部１２との間で装置本体を係止するような構造となる。
【００９１】
このように実施の形態４のネットワークカメラ１とこれに装着される撮像範囲確認フード１０によれば、ネットワークカメラ１の梱包箱１００の一部で撮像範囲確認フード１０を形成することができ、材料費を削減することができる。
【産業上の利用可能性】
【００９２】
本発明は、ネットワークカメラ、監視カメラ等の撮像装置とその撮像範囲確認部材に適用できる。
【図面の簡単な説明】
【００９３】
【図１】（ａ）本発明の実施の形態１における撮像装置に撮像範囲確認部材を装着する時の上方からの概観図、（ｂ）（ａ）の撮像装置に撮像範囲確認部材を装着した状態の概観図
【図２】本発明の実施の形態１における撮像範囲確認部材の斜視図
【図３】（ａ）本発明の実施の形態１における撮像装置が撮像範囲内にある時の下方からの視野のレンズの正面図、（ｂ）（ａ）の撮像装置が撮像範囲の限界に達した時のレンズの正面図
【図４】本発明の実施の形態１における撮像装置の撮像範囲と被写体の位置の関係を示す説明図
【図５】（ａ）本発明の実施の形態１における撮像装置を正常に装着した場合の撮像範囲の説明図、（ｂ）（ａ）の撮像装置を不正常に装着した場合の撮像範囲の説明図
【図６】本発明の実施の形態１の撮像範囲確認フードを展開した展開体の構成図
【図７】本発明の実施の形態１における撮像範囲確認部材の展開図を折り込んで組み立て体をつくる工程説明図
【図８】本発明の実施の形態２の撮像範囲確認部材を展開した展開体の構成図
【図９】（ａ）本発明の実施の形態２における撮像装置が撮像範囲内にある時の下方から見上げた視野のレンズの正面図、（ｂ）（ａ）の撮像装置が撮像範囲の限界に達した時のレンズの正面図
【図１０】本発明の実施の形態３の撮像範囲確認部材を展開した展開体の構成図
【図１１】本発明の実施の形態４の撮像範囲確認部材を展開した展開体の構成図
【図１２】本発明の実施の形態４における撮像範囲確認部材の斜視図
【符号の説明】
【００９４】
１    ネットワークカメラ
１ａ    正面ケース
１ｂ    背面ケース
２    取り付け部
２ａ    仰角固定部
３    レンズ
４    レンズホルダ
５ａ，５ｂ    ライト
６    人感センサ
１０    撮像範囲確認フード
１１    レンズ穴
１２    仕切り部
１２ａ    仕切り片
１２ｂ    仕切り片
１２ｉ    差込
１２ｈ    差込穴
１３    第２直線
１３ａ    境界線
１４    第１直線
１４ａ    境界線
１５    ストッパ
１５ａ    ストッパ片
１５ｂ    係止片
１６    端辺
１７    端辺
１８    端辺
１９    端辺
３０    型紙
３１    第１領域
３２    第２領域
３３    第３領域
３４    第４領域
３５    折り曲げ線
３６    差込
３７    差込穴
４０    型紙
４１    領域
４１ａ    領域
４２    領域
４２ａ    領域
４３    領域
４３ａ    領域
５０    型紙
５１    接着部
６０    型紙
６１    展開体部分
６２    不要部分
６３    接着部
１００    梱包材
Ａ，Ｂ，Ｃ，Ｄ    仕切り領域
α    角度
α’    角度
θ    交角
Θ    画角
Ｓ１    仮想面
Ｓ１’    仮想面
Ｓ２    仮想面
Ｓ２’    仮想面
Ｒ１    仮想面
Ｒ２    仮想面
ａ    短手方向幅
ｂ    長手方向幅
【図１】
2010200199.tif 000003
【図２】
2010200199.tif 000004
【図３】
2010200199.tif 000005
【図４】
2010200199.tif 000006
【図５】
2010200199.tif 000007
【図６】
2010200199.tif 000008
【図７】
2010200199.tif 000009
【図８】
2010200199.tif 000010
【図９】
2010200199.tif 000011
【図１０】
2010200199.tif 000012
【図１１】
2010200199.tif 000013
【図１２】
2010200199.tif 000014